(57)【要約】  通信ネットワーク内のカードをアクティブ化して、カードを実行する電力消費コストを最小化できるようにする方法。方法は、すでにアクティブ化されたレセプタクルに位置するカードを検出して、優先的にアクティブ化するステップから成る。レセプタクルは、前記通信ネットワークの１つまたは複数のノードに対応する所定の検索範囲内のトレイまたはキャビネットであってもよい。
2013516823.tif 000002
【特許請求の範囲】
【請求項１】
通信ネットワーク内のカードをアクティブ化するための方法であって、
前記通信ネットワークに関連するミッション要求（４１、６１）を受信するステップと、
前記ミッションの遂行が可能な１つまたは複数のカード（１６、３６ａ２、３６ａ３、５６ａ２、５６ｂ３、５６ｃ４）を、複数のレセプタクルを備える検索範囲内で検索するステップ（４２、６２）と、
すでにアクティブ化されたレセプタクル内に可能なカード（４９ｂ、６９ｂ）がある場合、そのカードをアクティブ化するか、
または、すでにアクティブ化されたレセプタクル内に可能なカードがない場合、およびアクティブ化されていないレセプタクル内に可能なカードがある場合、アクティブ化されていないレセプタクル内の前記カード（４９ｂ、６９ｂ）をアクティブ化し、前記レセプタクルもアクティブ化するステップとを備える、方法。
【請求項２】
前記検索パラメータ（６１ａ）を、前記ネットワークのノードの交換容量の関数として、または前記ネットワークのノードを接続するリンクを介する信号の伝搬に関連する物理パラメータで定義するステップを備える、請求項１に記載の方法。
【請求項３】
可能なカードを備える複数のアクティブ化されたレセプタクルがある場合、最もアクティブ化されたカード（４６、４７、４８、４９、４９ａ、６６、６７、６８、６９、６９ａ）を備えるアクティブ化されたレセプタクルを特定して、最もアクティブ化されたカード（４９ｂ、６９ｂ）を含むレセプタクル内に位置する、前記ミッションの遂行が可能なカードをアクティブ化することを特徴とする、請求項１および２のいずれか一項に記載の方法。
【請求項４】
レセプタクルがトレイ（１５）またはベイ（１４）またはキャビネット（１１）を備える、請求項１から３のいずれか一項に記載の方法。
【請求項５】
範囲が、トレイ（１５）を含むキャビネット（１１）、トレイ（１５）を含むベイ（１４）、トレイを含むキャビネットの列、トレイを含むベイの列、トレイを備えるキャビネットの列を含む部屋、トレイを含むベイの列を含む部屋で構成されるグループから選択される、請求項１から４のいずれか一項に記載の方法。
【請求項６】
範囲が、前記ネットワークの１つまたは複数の交換ノードを備える、請求項１から４のいずれか一項に記載の方法。
【請求項７】
前記通信ネットワークがＷＤＭ光ネットワークであることを特徴とする、請求項１から６のいずれか一項に記載の方法。
【請求項８】
前記ミッションが、光信号の別の光信号への変換、光信号の電気信号への変換、または電気信号の別の電気信号への変換で構成されるグループから選択されることを特徴とする、請求項１から７のいずれか一項に記載の方法。
【請求項９】
通信ネットワーク内のカード（３６ａ２、３６ａ３、５６ａ２、５６ｂ３、５６ｃ４）をアクティブ化するための制御デバイス（３９ａ、５９ａ）であって、
前記通信ネットワークに関連するミッション要求を受信することができる通信モジュールと、
前記ミッションの遂行が可能な１つまたは複数のカードを、１つまたは複数のレセプタクルを備える所定の検索範囲内で検索することができる検索モジュールと、
すでにアクティブ化されたレセプタクル（３５ａ２、５５ｃ４）内にカードがある場合、そのカードをアクティブ化することができ、
すでにアクティブ化されたレセプタクル内に可能なカードがない場合、およびアクティブ化されていないレセプタクル（３５ａ３、５５ａ２、５５ｂ３）内に可能なカードがある場合、前記アクティブ化されていないレセプタクル内のカードをアクティブ化し、前記レセプタクルもアクティブ化することができるアクティブ化モジュールとを備える、制御デバイス。
【発明の詳細な説明】
【技術分野】
【０００１】
本発明は、レセプタクルと、それらのレセプタクルに収納されるカードを備えるモジュール構造の形態に編成される通信デバイスの分野に関する。さらに具体的には、本発明は、通信ネットワーク内の機能カードのアクティブ化に関する。たとえば、それは、波長分割多重方式（ＷＤＭ）光通信ネットワークであってもよい。本発明は、さらに詳細には、それらのネットワークの機器の電力消費量に関する。
【背景技術】
【０００２】
ＩＥＣ２９７−２規格のような規格は、数十年にわたり、カードを収容するベイおよびトレイで構成されるキャビネットの機械構造を定義してきた。最近になって、通信ネットワークキャビネットのような、この機器についてのさらに具体的な規格が提案された。たとえば、これは、機械パラメータおよび一部のキャビネット制御要素を定義するＡＴＣＡ（Ａｄｖａｎｃｅｄ  Ｔｅｌｅｃｏｍｍｕｎｉｃａｔｉｏｎｓ  Ｃｏｍｐｕｔｉｎｇ  Ａｒｃｈｉｔｅｃｔｕｒｅ）規格に当てはまる。それらの規格は、従来の状況と比べて相互運用性および製造コストの削減を可能にするために導入されたものであり、それにより各製造業者はそのキャビネットをいかなる規格にも依存せずに設計してきた。キャビネット規格の定義は現在、わずかな例を挙げれば民間向け、軍用、または研究用途のいずれであっても、通信ネットワーク要素およびデータセンターのような多種多様な機器に影響を及ぼす。
【先行技術文献】
【非特許文献】
【０００３】
【非特許文献１】ＩＥＣ２９７−２規格
【非特許文献２】ＡＴＣＡ（Ａｄｖａｎｃｅｄ  Ｔｅｌｅｃｏｍｍｕｎｉｃａｔｉｏｎｓ  Ｃｏｍｐｕｔｉｎｇ  Ａｒｃｈｉｔｅｃｔｕｒｅ）規格
【非特許文献３】ＰＩＣＭＧ３．０／ＡＴＣＡ（ｈｔｔｐ：／／ｗｗｗ．ｐｉｃｍｇ．ｏｒｇ／ｖ２ｉｎｔｅｒｎａｌ／ｎｅｗｉｎｉｔｉａｔｉｖｅ．ｈｔｍ）規格
【発明の概要】
【課題を解決するための手段】
【０００４】
１つの実施形態によれば、本発明は、通信ネットワーク内のカードをアクティブ化するための方法であって、前記通信ネットワークに関連するミッション要求を受信するステップと、前記ミッションの遂行が可能な１つまたは複数のカードを複数のレセプタクルを備える検索パラメータ内で検索するステップと、すでにアクティブ化されたレセプタクル内に可能なカードがある場合、そのカードをアクティブ化するか、または、すでにアクティブ化されたレセプタクル内に可能なカードがない場合、およびアクティブ化されていないレセプタクル内に可能なカードがある場合、アクティブ化されていないレセプタクル内の前記カードをアクティブ化し、前記レセプタクルもアクティブ化するステップとを備える方法を提供する。
【０００５】
有利なことに、方法は、前記検索パラメータを、前記ネットワークのノードの交換容量の関数として、または前記ネットワークのノードを接続するリンクを介する信号の伝搬に関連する物理パラメータで、定義するステップを備える。
【０００６】
優先的に、方法は、可能なカードがない場合、前記ミッションの遂行が可能でないことを指示するメッセージを伝送するステップを備える。
【０００７】
加えて、方法は、可能なカードを備える複数のアクティブ化されたレセプタクルがある場合、最もアクティブ化されたカードを備えるアクティブ化されたレセプタクルを特定して、最もアクティブ化されたカードを含むレセプタクル（のうちの１つ）内に位置する、前記ミッションの遂行が可能なカードをアクティブ化するステップを備える。
【０００８】
有利なことに、方法内で使用されるレセプタクルは、トレイ、またはベイ、またはキャビネットを備える。
【０００９】
優先的に、範囲は、トレイを含むキャビネット、トレイを含むベイ、トレイを含むキャビネットの列、トレイを備えるキャビネットの列を含む部屋、トレイを含むベイの列を含む部屋で構成されるグループから選択されてもよい。
【００１０】
有利なことに、方法内で使用される範囲は、前記ネットワークの１つまたは複数の交換ノードを備える。
【００１１】
方法は、ＷＤＭ光ネットワークで使用されてもよい。
【００１２】
方法は、光信号を別の光信号に変換すること、光信号を電気信号に変換すること、または電気信号を別の電気信号に変換することで構成されるグループから選択されたミッションのために使用されてもよい。
【００１３】
発明は、通信ネットワーク内のカードをアクティブ化するための制御デバイスであって、前記通信ネットワークに関連するミッション要求を受信することができる通信モジュールと、前記ミッションの遂行が可能な１つまたは複数のカードを１つまたは複数のレセプタクルを備える所定の検索範囲内で検索することができる検索モジュールと、すでにアクティブ化されたレセプタクル内にカードがある場合、そのカードをアクティブ化することができ、すでにアクティブ化されたレセプタクル内に可能なカードがない場合、およびアクティブ化されていないレセプタクルに可能なカードがある場合、前記アクティブ化されていないレセプタクル内のカードをアクティブ化し、前記レセプタクルもアクティブ化することができるアクティブ化モジュールとを備える制御デバイスをさらに提案する。
【００１４】
優先的に、制御デバイスは、可能なカードがない場合、前記ミッションの遂行が可能でないことを指示するメッセージを送信することができる。
【００１５】
有利なことに、デバイスは、レセプタクルがラック、またはベイ、またはキャビネットを備える範囲内でカードを検索する。
【００１６】
制御デバイスが、トレイを含むキャビネット、トレイを含むラック、トレイを含むキャビネットの列、トレイを備えるキャビネットの列を含む部屋、トレイを備えるラックの列を含む部屋で構成されるグループの検索範囲内を検索することが可能である。
【００１７】
制御デバイスはまた、光アクセスネットワークまたは光首都圏ネットワーク、または長距離光ネットワーク、または超長距離光ネットワークの複数のノードを含む検索範囲内を検索することもできる。
【００１８】
前述のＩＥＣ２９７−２規格は、カード、トレイ、ベイ、キャビネット、キャビネットの列、およびベイの列の機械パラメータを定義する。この規格では、存在するそれらの要素の数についても、それらの要素の使用方法についても規定してはないが、その理由は、それらの要素が問題の用途に適合される必要があるからである。たとえば、ＩＥＣ２９７−２規格では、ＷＤＭネットワーク内の通信デバイスの使用において、所与の時点において、どのカード、トレイ、キャビネット、またはキャビネットの列が実行している必要があるかを規定していない。また、実行しているカードが、どのノードまたはどのノードのセットに配置されなければならないかも規定していない。
【００１９】
本発明の根底にある１つの課題は、通信ネットワークの要素の電力消費量を低減することである。
【００２０】
本発明の態様の一部は、ネットワークオペレータが有するカードが通常、たとえ使用されていない場合も電源がオンになっているという観察に基づく。したがって、それらのカードの一部は、一時的に電源オフにされてもよい。
【００２１】
本発明の一部の態様の根底にある１つの概念は、それでもなお、使用されていないカードの電源をオフにすることだけでは、消費量を最適に低減することは実現されないということである。それは、電力消費量が、カードの消費量だけではなく、キャビネットのトレイの消費量またはキャビネットの列の消費量も含むセットであると見なされるべきであるからである。したがって、同じトレイ内に位置する、使用されていないカードを、優先的にオフにすることが有利である。したがって、特定の時点において、トレイ内のカードをすべてオフにし、それによりトレイをオフにできるようにすることが考案されてもよい。これは、トレイが、トレイに含まれるカードの１つをオンにすると直ちに電力を消費するからである。トレイによって消費される電力は、たとえば、その冷却システムの消費電力量である。
【００２２】
同様に、本発明の根底にあるもう１つの概念は、可能な場合には常時、単一キャビネット内に含まれるカードおよびトレイをオフにすることが好ましいということである。そうすることで、キャビネット内のすべてのカードおよびトレイが同時にオフにされて、キャビネット自体をオフにできるようにする可能性が高まる。
【００２３】
したがって、カードをオフにするための最適化ポリシーは、オフにされるトレイ、キャビネット、またはキャビネットの列の数を増大させることができ、それにより省電力化を最適化する必要がある。
【００２４】
本発明の根底にあるもう１つの概念は、特に、複雑かつ高価過ぎて実施できないであろう消費量測定および検査の使用を回避するように、カードをアクティブ化またはオフにするポリシーが可能な限り単純である必要があるということである。
【００２５】
本発明の根底にあるもう１つの概念は、電力消費量の課題に対して見出される解決策が、カード、キャビネット、またはキャビネットの列の機能に依存しなくてもよいということである。たとえば、それらの機能は、単に電気信号のみ、または単に光信号のみを処理すること、もしくは電気および光信号の両方を処理することで構成されてもよい。
【００２６】
添付の図面を参照して、例示的かつ非限定的な例示によってのみ示される、本発明の複数の特定の実施形態の後続の説明を考察すれば、本発明はより深く理解され、本発明のその他の目的、詳細、特徴、および利点はさらにはっきりと明らかとなろう。
【図面の簡単な説明】
【００２７】
【図１】光および電子カードを含むキャビネットの要素を示す機能概略図である。
【図２】図１により説明されるタイプの複数のキャビネットを備える光通信ネットワークを示す概略図である。
【図３】図１または図２のキャビネット内で実施されうる、本発明の１つの実施形態による、カードをアクティブ化するための方法のステップを示す図である。
【図４】図３に関連する決定流れ図である。
【図５】図１および図２に関連するキャビネット内の光カードをアクティブ化する第２の例を示す概略図である。
【図６】図５に関連する決定流れ図である。
【発明を実施するための形態】
【００２８】
図１は、電子および／または光機器をサポートするために使用される機械構造を概略的に示す。当業者は、名称が規格によって定義される、研究室で使用されるそれらの機械構造を熟知している。この要請に使用される定義は、国際規格ＩＥＣ２９７−２によって提案されるものである。命令規格に使用される語彙が、特にフランス語と英語間の翻訳により、若干異なる可能性もある。しかし、それらの語彙の差異は、電子または光機器を含めるために使用されるそれらの機械構造の一般的構造に十分な知識を有する当業者にとっては、微細なものである。
【００２９】
国際ＩＥＣ２９７−２規格（ｈｔｔｐ：／／ｐｈ−ｄｅｐ−ｅｓｅ．ｗｅｂ．ｃｅｒｎ．ｃｈ／ｐｈ−ｄｅｐ−ｅｓｅ／ｃｒａｔｅｓ／ｓｔａｎｄａｒｄｓ／ｉｅｃ６０２９７−２．ｐｄｆ）によれば、電子および／または光キャビネットは、ベイ１４、取り外し可能パネル１８、ドア１９、およびトレイ１５で構成される。トレイ１５は、パネル１７を装備されたカード１６を備える。ベイ１４は、単独で使用されてもよい独立した自立型構造である、もしくは機器の列を構成するためにラックの他のベイまたは固定構造に関連付けられる。ラックは、ドアまたはカバーのない金属構造である。ベイ１４は、ユーザの要件、移動性、および移動のための負荷に応じて、基部、脚部、ローラーなどを有しても、有さなくてもよい。キャビネットは、用途に応じて、１つまたは複数の側面にドアまたは取り外し可能パネルを備えるベイである。キャビネットまたはベイは、パネルが固定されうる垂直要素を含むことができる。
【００３０】
実際には、トレイの構造は、用途により異なっていてもよい。たとえば、一部のトレイは、すべてのカードにより共有される単一方式のみを有することができる。しかし、より良好な機器コストは一般に、各カード１６が各自に固有のパネル１７を有し、それらのすべてのパネルがトレイの前面を形成する、モジュール式トレイ構造により達成される。カード１６およびその前面１７で構成されるアセンブリは、ブレードと呼ばれることもある。カードは、電子および／または光要素を含むことができる。カードは、マザーボードおよび１つまたは複数のドーターボードで構成されるアセンブリから容易に構築されてもよい。たとえば、ＰＩＣＭＧ３．０／ＡＴＣＡ（ｈｔｔｐ：／／ｗｗｗ．ｐｉｃｍｇ．ｏｒｇ／ｖ２ｉｎｔｅｒｎａｌ／ｎｅｗｉｎｉｔｉａｔｉｖｅ．ｈｔｍ）規格は、メザニン層のカード構造を定義する。その他のカード構造も可能である。
【００３１】
この要請において、レセプタクルは、複数のカードを含むことができる構造要素に使用される用語となる。したがって、レセプタクルは、たとえば、トレイまたはキャビネット、もしくはキャビネット内のトレイ、もしくはベイ内のトレイで構成されてもよい。これ以降概説される実施形態ではキャビネットを使用するが、ドア１９または取り外し可能パネル１８を備えないベイを使用する実施形態を概説することも可能である。レセプタクルはまた、たとえば共通換気システムのような、共通の電気消費必要量を共有するキャビネットまたはベイの列で構成されてもよい。たとえば、このことは、キャビネットの列がそれ自体換気システムを備える専用の部屋に配置される場合に当てはまる。
【００３２】
図２は、光通信ネットワークを概略的に示す。このネットワークは、リンク２３によって接続されたネットワークノード２２を備える。リンク２３は、１つまたは複数の光ファイバで構成される。ネットワークノード２２は、光および／または電子カードを備える１つまたは複数のキャビネット２１を含むことができる。単一ノード内に位置するキャビネットは、その構造およびその機能が異なっていてもよい。異なるノード内に位置するキャビネットはまた、その構造およびその機能が異なっていてもよい。
【００３３】
図３および図４を参照して、これ以降、２つの機器光カード３６ａ２および３６ａ３を備えるキャビネット３４ａをアクティブ化する第１の実施形態を説明する。ここで、「複数の等価の光カード（ｅｑｕｉｖａｌｅｎｔ  ｏｐｔｉｃａｌ  ｃａｒｄｓ）」は、図２の光ネットワーク内で同一のミッションを共に遂行することが可能なカードを示す。カードが複数のミッションを遂行することが可能である場合、カードはそれらのミッションの少なくとも１つに対して等価と見なされてもよい。
【００３４】
図３は、カード３６ａ２および３６ａ３が共に実行していない場合、およびキャビネット３４ａの電力消費量を最小化するように、いずれのカードをアクティブ化することが好ましいかと質問される場合の初期状態に対応する。以下において、ボードが、問題の瞬間においてアクティブ化状態にあり、ネットワークの動作にアクティブに参加していることが想定され、そのネットワークの、ミッションとしても知られている機能を遂行したことを意味する。そのようなカードは、問題の通信ネットワークの動作に参加していないか、またはもはや参加しない場合に、非アクティブ化される。
【００３５】
カードがネットワークの動作に参加していることは、会議にたとえられてもよい。たとえば、１つの実施形態において、カードを非アクティブ化することが、ネットワークの他のノード、またはネットワークによって搬送されるトラフィックに影響を及ぼす場合およびその場合に限り、そのカードがネットワークの動作に参加していると仮定されてもよい。もう１つの実施形態において、たとえカードをアクティブ化しても、ネットワークの全体的な動作に影響を及ぼさない場合、カードがネットワークに参加していると仮定されてもよい。たとえば、カードがノード内のデータ表示システムに対応する場合、そのローカル表示システムの動作は、ネットワークの全体的な動作にとって重要ではない。
【００３６】
その初期の時点において、図３に示されないその他のカードは、アクティブ化されているものも、アクティブ化されていないものも、キャビネット３１ａに見出されてもよい。図３に示されていないカードの数は、キャビネット３１ａが含むことができるカードの数と同数であってもよい。キャビネット３４ａのアクティブ化されたカードは、関連する電力を消費する。アクティブ化されていないカードは、電力を消費しない。図３に示される例において、簡潔を旨とするために、カードの電力消費量がその他のカードの電力消費量とは無関係であると仮定する。
【００３７】
１つの実施形態において、カード３６ａ２および３６ａ３はいずれも、１．３μｍ波長チャネルを介して第１の光信号を１つの電気信号に変換し、次いで約１．５５μｍのＷＤＭ（波長分割多重方式）チャネルを介して電気信号を光信号に変換するためのトランスポンダ機能を有することができる。波長チャネル上の１．３μｍ信号は、図３には示されていない入力光交差接続を用いて、２つのカード３６ａ２および３６ａ３のいずれかにルーティングされてもよい。同様に、図３には示されていない出力光交差接続は、使用されている２つのカード３６ａ２および３６ａ３のいずれかから約１．５５μｍのＷＤＭチャネルを介して光信号を取り出すことができるようにする。したがって、前述のトランスポンダ機能は、電気信号への光信号の変換を備え、その後に光信号への電気信号の変換が続く。トランスポンダカードおよび交差接続は、トランスポンダカードおよび交差接続が位置するノードの交換容量に寄与する。
【００３８】
ドープ処理光ファイバから成る光増幅器を備えるカードの場合のように、カード３６ａ２および３６ａ３の機能が光信号を別の光信号に変換することである第２の例示の実施形態を選択することも可能である。光増幅器を備えるカードは、それらの光カードを含むノード内のネットワークの光信号の再生成容量に寄与する。
【００３９】
たとえば電気信号多重機能を提供するカードのように、カード３６ａ２および３６ａ３の機能が電気信号を別の電気信号に変換することである第３の実施形態を選択することも可能である。
【００４０】
カード３６ａ２は、換気要素３７ａ２を装備するトレイ３５ａ２内に配置される。カード３６ａ３は、換気要素３７ａ３を装備するトレイ３５ａ３内に配置される。キャビネット３１ａのベイ３４ａは、２つのトレイ３５ａ２および３５ａ３、ならびに２つのその他のトレイ３５ａ１および３５ａ４を含む。トレイ３５ａ１は、換気要素３７ａ１を備える。トレイ３５ａ４は、換気要素３７ａ４を備える。キャビネット３４ａは、キャビネット換気要素３８ａおよび制御デバイス３９ａをさらに備える。換気要素３７ａ１、３７ａ２、３７ａ３、３７ａ４は、対応するトレイ３５ａ１、３５ａ２、３５ａ３、３５ａ４の固有の換気を提供する。キャビネット換気要素３８ａは、キャビネット３１ａの全体的な換気を保証する。制御デバイス３９ａは、たとえば電力供給および温熱調節に関して、キャビネット３１ａのローカル動作を制御する。制御デバイス３９ａはまた、図２に示されるネットワークマネージャにより割り当てられる寸法に関連して、キャビネット３１ａ内に含まれるカードの動作を制御する。したがって、制御システム３９ａは、たとえばＲＳＶＰ（Ｒｅｓｏｕｒｃｅ  Ｒｅｓｅｒｖａｔｉｏｉｎ  Ｐｒｏｔｏｃｏｌ）およびＧＭＰＬＳ（Ｇｅｎｅｒａｌｉｚｅｄ  Ｍｕｌｔｉｐｒｏｔｏｃｏｌ  Ｌａｂｅｌ  Ｓｗｉｔｃｈｉｎｇ）、ならびにその他のプロトコルなど、通信プロトコルを用いてネットワークマネージャと通信する。
【００４１】
図３は、換気要素３７ａ１および３７ａ２を黒塗りで描き、それらが図３で問題の時点で動作していることを示す。換気要素３７ａ３および３７ａ４は、破線で描かれ、それらが図３で問題の時点で動作していないことを示す。
【００４２】
２つのカード３６ａ２および３６ａ３が非アクティブである初期時点からカード３６ａ２をアクティブ化するために必要とされる電力コストが検討される場合、このコストは、カード３６ａ２それ自体の電気稼働コストと概ね等しい。これは、初期状態において、カード３６ａ２を含むトレイ３５ａ２の換気要素３７ａ２が、図２に黒塗りで示されるように稼働状態にあるからである。一方、カード３６ａ３をアクティブ化するために必要とされる電力コストが検討される場合、このコストは、カード３６ａ３をアクティブ化する電力コストおよびトレイ３５ａ３の換気要素３７ａ３をアクティブ化するために必要とされる電力コストと概ね等しい。これは、カード３６ａ２および３６ａ３をアクティブ化するために選択が行なわれる必要がある時点において、図３に破線で示されるように、換気要素３７ａ３が非アクティブであるからである。
【００４３】
図４は、電力消費量を最小化するために、キャビネット３１ａで使用可能な等価のカードのいずれがアクティブ化される必要があるかを選択することができるようにする流れ図を概略的に示す。図面の流れ図は、等価の使用可能なカードの数はゼロであっても、ゼロでなくてもよいので、この数には関係なく使用されてもよい。等価の使用可能なカードの数は、特に、カード３６ａ３および３６ａ４の場合の、図３に示されるように、２と等しくてもよい。
【００４４】
ステップ４１において、制御デバイス３９ａは、ネットワークに必要なカードのタイプを指定する要求をネットワークマネージャから受信する。要求は、たとえば、ノードの容量を増大するか、または信号再生成機能を実行することを意図されてもよい。要求が受信される時点において、前述のようなトランスポンダ機能を保証することがミッションであるカードを実施することが必要であってもよい。ステップ４２において、制御デバイス３９ａは、検索範囲３１ａが少なくとも１つの使用可能なカードを含む（すなわちカードがまだ使用されていない、およびカードが要求されたミッションを遂行することが可能であることを意味する）かどうかを検討する。
【００４５】
使用可能なカードを含まない場合、制御デバイス３９ａは、ステップ４３において、選択された範囲内で適切なカードを割り当てることが不可能であることを指示するために、メッセージをネットワークマネージャに送信する。ここで検討される範囲は、制御デバイス３９ａの制御の下にある範囲であり、すなわちキャビネット３５ａ、およびカードのセット、ならびにそこに含まれるその他の要素を意味する。
【００４６】
一方、制御デバイス３９ａが、キャビネットにより構成される検索範囲内で、使用されていない少なくとも１つの適切なカードを検出できる場合、制御デバイス３９ａは、キャビネット３１ａ内の使用可能な等価のカードのセットをキャビネット３１内で特定し、ステップ４６において、１からｎまで番号を付ける（ｎは非ゼロの整数）。ステップ４７において、制御デバイスは、第１の等価のカードの数を、初期現行カード番号としてとる。ステップ４９において、制御デバイスは、現行番号を持つカードが見出されるトレイ内に位置するアクティブ化されたカードの数を特定してテーブル内に保存する。ステップ４９ａにおいて、制御デバイスは、現行カード番号がｎと等しいかどうかを確認する。ｎと等しくない場合、ステップ４８において、制御デバイスは、現行カード番号を１単位ずつ上昇させる。次に、制御デバイスは、ステップ４９ａの、現行カード番号がｎと等しいことを確認するときまで、必要に応じてステップ４９、４９ａ、および４８を実行する。
【００４７】
次いで、制御デバイスは、ステップ４９ｂにおいて、トレイ内、または最もアクティブ化されたカードを含むトレイ内に位置するカードをアクティブ化することを決定する。スタートアップは、使用可能なカードをオンにする、すなわち電源を入れることで構成され、それにより電力を消費し始める。たとえば、カードがそのトレイでその時点において最初にオンにされる場合、そのカードを含むトレイの換気システムをアクティブ化することが必要であってもよい。カードが電源オンにされると、そのカードが機能的にスタートアップされるように、たとえばＲＳＶＰ、ＧＭＰＬＳ、またはその他のプロトコルなど、１つまたは複数の必要なプロトコルに従って、情報交換が、アクティブ化されたカードと通信ネットワークのその他の要素との間に行なわれる。
【００４８】
次いで、制御デバイスは、ステップ４９ｃに進み、カードがアクティブ化されたことを指示する。
【００４９】
図４に示される流れ図の利点は、キャビネット内のトレイにアクティブなカードがほとんど含まれないように維持することができるようにすることである。そうすることで、一部のトレイを非アクティブ化する可能性を統計的に増大させ、それによりそれらの電力消費量、特にそれらの換気システム３７ａの電力消費量を節約することができるようになる。たとえば、これは、ネットワークの耐用期間の後半の時点において、ネットワークマネージャが、最も少ないアクティブ化されたカードを備える引き出しの１つにあるアクティブ状態のままのいくつかのカードが非アクティブ化されてもよいことを、制御デバイス３９ａに指示する場合に当てはまる。
【００５０】
図５および図６を参照して、これ以降、３つの等価な光カード５６ａ２、５６ｂ３、および５６ｃ４を備える３つの電子キャビネット５１ａ、５１ｂ、および５１ｃをアクティブ化する第２の実施形態を説明する。図５の参照符号は、図３の参照符号に２０を加えたものに対応する。したがって、図５は、ベイ５４ａ、５４ｂ、および５４ｃ、トレイ５５ａ１、５５ａ２、５５ａ３、５５ａ４、５５ｂ１、５５ｂ２、５５ｂ３、５５ｂ４、５５ｃ１、５５ｃ２、５５ｃ３、５５ｃ４、換気要素５８ａ、５８ｂ、５８ｃ、および制御デバイス５９ａ、５９ｂ、５９ｃを示す。
【００５１】
これ以降、簡単にするために、制御デバイス５９ａのみが、制御デバイス５９ｂおよび５９ｃを介してキャビネット５４ｂおよび５４ｃの要素に指示することが仮定される。したがって、制御デバイス５９ａはマスターであり、制御デバイス５４ｂおよび５４ｃはスレーブである。
【００５２】
４０の非アクティブなキャビネットがアクティブ化され、そのキャビネットの制御デバイスがスタンバイモードを保つ必要があることも仮定される。したがって、制御デバイス５９ａは、制御デバイス５９ｂおよび５９ｃに、それぞれキャビネット５１ｂおよび５１ｃを、それらのキャビネットの非アクティブ状態を切り替えて、アクティブ化するように指示してもよい。
【００５３】
キャビネット５４ａおよび５４ｂは、同じネットワークノード５２ａｂ内に位置し、キャビネット５４ｃはネットワークノード５２ｃ内に位置する。ネットワークノード５２ａｂおよび５２ｃは、たとえば光ファイバなどの、光リンク５３により接続される。説明のため、図５では２つのノード５２ａｂおよび５２ｃのみを示す。必然的に、キャビネットはより多くの数のノードに位置してもよく、４以上のキャビネットおよび４以上の等価の光カードを備える例を概説することが可能であろう。ノード５２ａｂと５２ｃの間の距離は、任意の距離であってもよい。距離は、たとえば数メートル、または数キロメートル、もしくはたとえば数百キロメートルなど、さらに長くてもよい。このさまざまな距離は、たとえばストレージエリアネットワーク（すなわちＳＡＮ）、ローカルエリアネットワーク（すなわちＬＡＮ）、アクセスネットワーク、首都圏ネットワーク、もしくは長距離または超長距離ネットワークに見出されるものである。
【００５４】
図５は、換気要素５７ｂ１、５７ｂ２、５７ｃ１、５７ｃ２、５７ｃ３、および５７ｃ４を黒塗りで描き、それらが図５で検討される時点で動作していることを示す。
【００５５】
換気要素は、破線５７ａ１、５７ａ２、５７ａ３、５７ａ４、５７ｂ３および５７ｂ４で描かれ、それらが図５で検討される時点で動作していないことを示す。
【００５６】
図６は、電力消費量を最小化するために、ネットワーク内の複数の等価のカードからいずれが選択される必要があるかを選択することができるようにする流れ図を概略的に示す。この流れ図は、特に、図５に示される３つの等価の図に適用されてもよい。
【００５７】
図６を示す流れ図は、２０を加えた図４の参照符号と同じ数字を使用する。特に、ステップ４１、４２、４３、４６、４７、４８、４９、４９ａ、４９ｂ、および４９ｃの説明は、類推によりステップ６１、６２、６３、６６、６７、６８、６９、６９ａ、６９ｂ、および６９ｃに適用される。
【００５８】
図５において、制御デバイス５９ａは、図３からの制御デバイス３９ａの役割を果たす。特に、制御デバイス５９ａは、等価の使用可能なカードの検索パラメータを定義する。この範囲は、図４における場合のように、１つのキャビネットのみに限定されることはない。図５において、制御デバイス５９ａは、検討する範囲内のキャビネット５１ａ、５１ｂ、および５１ｃを含むことができる。
【００５９】
カード５１ａ、５１ｂ、および５１ｃがトランスポンダカードである場合、２つのキャビネット５１ａおよび５１ｂを検索範囲に含めることで、ノード５２ａｂの交換容量を増大させることができるようになる。したがって、制御デバイス５９ａは、等価のカードの電力消費量の考慮およびノード５２ａｂの交換容量の考慮を共に勘案することができる。
【００６０】
カード５１ａ、５１ｂ、および５１ｃが光増幅カードである場合、リモートキャビネット５１ｃを検索範囲に含めることで、ネットワーク信号再生成ノードとしてノード５２ａｂおよび５２ｃのいずれかを選択することができるようになる。たとえば、制御デバイス５９ａは、信号の光増幅要求を受信する。さらに、制御デバイス５９ａは、ＲＥＶＰ、ＧＭＰＬＳ、およびその他のプロトコルを介して、ネットワークの物理パラメータに関する情報を常時受信している。物理パラメータがこれを可能にする場合、制御されるデバイスは、ファン５７ｃ４がすでにオンにされているトレイ５５ｃ４内に位置する増幅カード５６ｃ４をアクティブ化することができる。したがって、制御デバイス５９ａは、信号の再生成についての物理的許容の考慮、およびカードの電力消費量の考慮を共に勘案することができる。
【００６１】
制御デバイス５９ａが、ネットワークの複数のノードに複数のキャビネットを含む検索パラメータを定義する必要がある容量は、図６のステップ６１ａにより図示される。このステップは、図３の制御デバイス３９ｃの検索パラメータがキャビネット３１ａとして定義されているので、図４では説明されない。
【００６２】
ステップ６９ｂの間に、使用可能なカードがすべてアクティブ化されていないトレイ内にある場合、アクティブ化されるべきトレイを選択することが必要になる。１つの実施態様において、この選択は、さまざまなキャビネットの使用率に基づいて行なわれる。最もアクティブ化されたトレイを含むキャビネット内で、１つのトレイがアクティブ化されるように選択される。
【００６３】
同じことが、ベイ内のトレイにも当てはまる。
【００６４】
同様に、ステップ６９ｂの間に、使用可能なカードが、キャビネットの列内のアクティブ化されていないキャビネットのトレイに見出されてもよい。キャビネット内の１つのトレイがアクティブ化されるように選択される必要がある。１つの実施態様において、この選択は、さまざまなキャビネットの列の使用率に基づいて行なわれる。最もアクティブ化されたキャビネットを含むキャビネットの列に属するキャビネット内で、１つのトレイがアクティブ化されるように選択される。
【００６５】
同じことが、ベイの列に編成されたベイ内のトレイにも当てはまる。
【００６６】
図６はまた、たとえば図５のノード５２ａｂおよび５２ｃなどの、ノードを使用するためにマトリクスを更新することから成るステップ６９ｄを概説する。カード、トレイ、キャビネット、ベイ、キャビネットの列、またはベイの列の消費量、およびそれらの使用率を計算することが可能である。この情報は、制御デバイス５９ａによりネットワークマネージャに伝送される。
【００６７】
本発明は複数の特定の実施形態に関連して説明されてきたが、本発明がもちろん、それらの実施形態に限定されることは決してなく、説明される手段のすべての技術的均等物、ならびにそれらの組み合わせが本発明の範囲内に含まれる場合に前記組み合わせを備える。
【００６８】
「備える」または「含む」という動詞、およびそれらの活用形の使用は、特許請求の範囲に示されているもの以外の要素またはステップの存在を除外するものではない。要素またはステップに対する不定冠詞「ａ」または「ａｎ」の使用は、特に記述がない限り、複数のそのような要素またはステップの存在を除外するものではない。複数の手段またはモジュールが、単一のハードウェア要素により示されてもよい。特許請求の範囲において、括弧内の任意の参照符号は、特許請求の範囲を限定するものと解釈されてはならない。
【図１】
2013516823.tif 000003
【図２】
2013516823.tif 000004
【図３】
2013516823.tif 000005
【図４】
2013516823.tif 000006
【図５】
2013516823.tif 000007
【図６】
2013516823.tif 000008
【国際調査報告】
2013516823.tif 000009
2013516823.tif 000010
2013516823.tif 000011